(57)【特許請求の範囲】
【請求項１】
スリーブ状のペンシャフト（１）と、前端および後端がそれぞれ吸気および排気のために大気と連通している液体を収容するための容器（５）と、毛管材料からなるペン先（２）と、毛管材料（３３）により液体を容器からペン先まで案内する液体案内装置（３）と、容器（５）の後端に配置されている通気開口部（１２）とを備えた液体を塗布するための器具、特に筆記用具もしくは化粧用具において、通気開口部(１２)が液体を貯蔵する容器の内室に開口し、空気透過性かつ液体不透過性の半透膜（１３）で閉鎖されていることを特徴とする塗布器具。
【請求項２】
容器(５)の前端に配置され、空気透過性かつ液体不透過性の半透膜(４０)で閉鎖されている通気開口部（３９）を有することを特徴とする請求項１記載の塗布器具。
【請求項３】
膜(１３，４０)が容器壁の外側面もしくは内側面に配置されていることを特徴とする請求項１または２記載の塗布器具。
【請求項４】
通気開口部を有する構造部分が、その中に接合された膜（１３ａ，４０ａ）を備えているダイカスト部品であることを特徴とする請求項１ないし３の１つに記載の塗布器具。
【請求項５】
液体案内装置(３)が、ほぼ半径方向に突出しているフランジ（２３，２３ａ）を有する管状体（３０）を取り囲んでおり、フランジは容器(５)の前方の端面壁を形成していることを特徴とする請求項１ないし４の１つに記載の塗布器具。
【請求項６】
管状体（３０）、フランジ(２３，２３ａ)および容器(５)が一体に形成されていることを特徴とする請求項５記載の塗布器具。
【請求項７】
容器(５)の周囲壁がペンシャフト(１)で形成されていることを特徴とする請求項１ないし６の１つに記載の塗布器具。
【請求項８】
ペンシャフト(１)の後端を閉鎖している栓(８)を有し、栓の内側面とペンシャフトの外側面との間に大気と連通する通気路(１６)が配置されていることを特徴とする請求項７記載の塗布器具。
【請求項９】
ペンシャフト(１)内に別体の容器(５ａ)を有することを特徴とする請求項１ないし６の１つに記載の塗布器具。
【請求項１０】
容器の外側面とペンシャフトの内側面(１０)との間に少なくとも１個の後方通気開口部(１２ａ)と連通する空気路(４９)を備えていることを特徴とする請求項９記載の塗布器具。
【請求項１１】
空気路(４９)が、大気と連通する中空室(３８)に開口し、この中空室が管状体（３０ａ）と、この管状体を半径方向に間隔を置いて取り囲んでいるほぼスリーブ状の先端部分(４ａ)との間に配置されていることを特徴とする請求項１０記載の塗布器具。
【請求項１２】
通気開口部（１２ｃ，３９ｃ）が容器（５ｃ）の周囲壁に配置されていることを特徴とする請求項９ないし１１の１つに記載の塗布器具。
【請求項１３】
容器（５ｅ）の前端から後端まで延びる細長い通気開口部(８８)を少なくとも１個有していることを特徴とする請求項１２記載の塗布器具。
【請求項１４】
容器(５ｂ)が交換可能なカートリッジであることを特徴とする請求項９ないし１３の１つに記載の塗布器具。
【請求項１５】
カートリッジの前方の端面壁に中央開口部(６６)が設けられ、該中央開口部(６６)中に液体案内装置（３ｂ）の管状体(３０ｂ)がその後端で着脱自在に取り付けられていることを特徴とする請求項１４記載の塗布器具。
【請求項１６】
容器前端の吸気および排気は、ペン先（２）が後方の長手部分で管状体(３０ｄ)に挿入され、ペン先(２)に続く管状体の内室に、管状体の内側断面を長手方向に伸びる液体路（９４）まで狭める詰め物(９２)が配置されていることにより行なわれることを特徴とする請求項１記載の塗布器具。
【請求項１７】
詰め物(９２)が管状体の内壁に当接している周囲部分を有し、管状体の内壁との間に長手方向に延びる液体路(９４)を形成する平坦面(９３)を有していることを特徴とする請求項１６記載の塗布器具。
【請求項１８】
液体路の断面積が容器に向かって減少することを特徴とする 請求項１７記載の塗布器具。
【発明の詳細な説明】
本発明は液体を塗布するための器具、特に筆記用具や化粧用具に関する。
【０００１】
たとえばドイツ特許第３９１０７８７C１号から公知のこの種の塗布器具はスリーブ状のペンシャフトを有する。このペンシャフト内には液体を収容するための容器が配置されている。そのほかに、一方でペン先を保持し他方で液体容器の内室と接している液体案内装置も備えている。塗布器具がペン先と共に下向きに保持される場合、吸気および排気(以下に簡単に通気と称する)を保証するために、公知の塗布器具では容器内に横壁が嵌め込まれており、この横壁は少なくとも部分的に半透過性の、すなわち液体については不透過性であり空気および水蒸気については透過性である材料から成る。この横壁にはペンシャフト側に圧力調整室が連結されており、この室は舌弁を有する横壁によって仕切られている。最後に、容器のペンシャフト側ないし後ろ側の端面壁に通気開口部が存在する。
【０００２】
本発明の課題は、構造が簡単で、筆記態勢で通気可能で、かつペンシャフトのスリーブによって得られる余地を十分に利用できるような容器を有する塗布器具を提供することにある。
【０００３】
この課題は請求項１の特徴を有する塗布器具により解決される。これによれば、通気開口部が液体を収容する容器の内室に開口しており、半透膜で閉鎖されている。このような構造により、ペンシャフトの内室のより良好な利用と同時に、より多量の液体の貯蔵が可能となる。公知の塗布器具の場合は容器内に空気室が存在し、この室の存在が貯蔵可能な液体量を減らしている。筆記態勢での通気は、空気で満たされている補助室とその内部に配置された舌弁を備えなくても可能であることが明らかにされている。このような余計な構造が省略されるので、塗布器具の製造も簡略化される。
【０００４】
ペン先が上向きに保持される場合の塗布器具の通気は主として、容器の前端に配置され同じく半透膜で閉鎖されている少なくとも１個の通気開口部を介して行われる。膜は、通気開口部を有する各容器壁の外側面もしくは内側面に配置され、ほぼその位置で接着されている。製造をさらに簡略化する実施形態として、通気開口部を有する構造部分が、その中に膜が接合されているダイカスト部品であるようにするものもある。従って容器全体はその製造段階ですでに膜が備え付けられるので、後から容器に膜を取り付ける必要がない。
【０００５】
製造および組み立てを簡略化する実施形態は、液体案内装置がほぼ半径方向に突出し容器の前方の端面壁を形成するフランジを備えた管状体を含むものである。管状体、フランジ、および容器は一体に形成されると有利である。これにより第一に組み立てが容易になり、第二にフランジと容器の間の非気密性が回避される。
【０００６】
好ましい実施形態は、容器の周囲壁をペンシャフト自体で形成する方式であるが、これは部品数の減少により組み立て費用が軽減される方式である。
【０００７】
更に別の好ましい実施形態は、ペンシャフト内に別体の容器を配置する方式である。容器の後端に備えられた膜を介して行われる容器の通気は、スリーブの外側面とペンシャフトの内側面との間に膜と連通している空気路が存在することにより可能となる。有利な別の実施形態では、この空気路は大気に連通する中空室に通じており、この中空室は、液体案内装置の管状体とこの装置を半径方向に間隔を置いて取り囲んでいるほぼスリーブ状の先端部分の間に配置されている。別体の容器では通気開口部は容器の周囲壁に配置されている。このことはまず、通気開口部の形態が容器の端面壁に配置される場合よりも大きくなるという利点につながる。特に前方の端面壁の場合、この位置に孔を設けこの孔を介して液体案内装置が容器から液体を取り出さなければならないので、通気開口部に用立てられる端面壁の面積はわずかである。少なくともひとつの細長い通気開口部が容器の先端側の端部からペンシャフト側の端部まで延びるようにすると特に有利である。このようにすれば、特に容器の周囲にこの種の細長い通気開口部を複数個配置すれば、実地上ペンシャフトのどの位置でも通気が保証される。通気開口部が容器の周囲に螺旋状に延びている場合も、複数個の細長い通気開口部を有する場合と同等の効果が得られる。このような場合だけでなく、複数個の細長い通気開口部が直線的に走行している場合にも塗布器具の長手軸を回転軸として任意のあらゆる回転位置で容器の内室の通気が可能となる。
【０００８】
それ自体創意に富んでいる実施形態では、液体装置の管状体内室にこれを狭くする詰め物を配置する。断面積を狭めることにより軸方向へ走行する液体路が形成され、この液体路は繊維もしくは燒結材料の毛管よりもはるかに大きいので、液体に対して加えられる毛管圧はより小さい。従来の材料では毛管圧が高いので、液体貯蔵器が開放している塗布器具では下向きに保持されたペン先から液体が漏出するという危険がある。本提案による液体案内装置の実施形態を用いれば、この危険は阻止される。ペン先が上向きに保持される場合は、容器内の加熱により生じた圧力は液体路およびペン先と管状体内室壁との間にある空気路を介して解消する。逆に空気は同じ経路を介して容器へ侵入する。このため、容器の前方領域における通気開口部の膜閉鎖は行わなくて済む。
【０００９】
以下に本発明を添付の図面に示した実施例に基づき詳細に説明する。
【００１０】
図１に示した実施例およびその他の実施例は、主としてスリーブ状のペンシャフト１、ペン先２を保持する液体案内装置３およびこの装置を半径方向に間隔を置いて囲んでいるスリーブ状の先端部分４から構成されている。ペンシャフト１自体は筆記用液体もしくは化粧用液体のための容器５を形成している。ペンシャフト１の後端は半径方向に内側に引っ込んでいる領域７を有し、この領域の上にほぼコップ状の栓８がかぶせられている。栓８はペンシャフトに主として接着もしくは超音波溶接によって固定されている。領域７の内側ではペンシャフトの内面１０に端面壁１１が形成されており、この壁は内向きに半径方向に延び、中央の通気開口部１２によって打ち抜かれている。ペン先２とは反対側の端面壁１１の外側に半透膜１３が取り付けられている。端面壁１１と栓８の底面１４との間にある軸方向間隔は、膜１３と底面１４の間にも軸方向間隔ないし中空室１５が存在するように設定される。この中空室１５は栓８とペンシャフト１の狭窄領域７との間に配置されている通気路１６を介して大気と連通している。栓８は端面１７でペンシャフト１の外向きに半径方向に延びている肩部１８に当接している(図２)。通気路１６の領域では端面１７に溝１９が切り込まれており、この溝は通気路１６と大気とを連通させている。通気路１６と中空室１５との連通はペンシャフト１の端面９における少なくともひとつの溝２０を介して行われる。
【００１１】
膜１３は液体が容器から外へ漏出することを阻止する。ただしこの膜は、塗布器具の使用中に、すなわち器具の筆記態勢において液体所蔵量が減る場合に、矢印２１の方向への容器の通気を許容する。この態勢で容器内容物が加温されると空気が反対方向に外へ大気中へ逃げる。したがって、容器５内では塗布器具の使用中に常に圧力の平衡が保たれる。
【００１２】
容器５の前端は、液体案内装置３の一部であるフランジ２３によって閉鎖されている。フランジ２３のペン先と反対側には管状体部分２４が形成されており、この部分はペンシャフト１内へ延び、かつ外側面２５でペンシャフトの内側面１０に当接している。管状体部分２４とペンシャフト１との結合はたとえば接着により行われる。管状体部分２４は、ペンシャフトの外側面２６とフランジ２３の辺縁面２７とが一直線になるように、半径方向に内向きに引っ込んでいる。フランジ２３の別の側にはもうひとつの管状体部分２８が形成されており、この部分の外側面29は辺縁面２７と一直線になっている。管状体部分２８には先端部分４の後端が挿入されており、フランジ２３に形成された管状体３０を半径方向に間隔を置いて取り囲んでいる。シャフト方向にペン先２に接続されている管状体３０の領域にはたとえばプラスチック線維もしくは燒結プラスチックから作られた毛管材料３３が配置されている。管状体３０、フランジ２３および毛管材料は協働して液体案内装置を形成している。毛管材料３３はフランジ２３における中央開口部３４を介して容器５の内室と流体的に連通している。先端部分４の前方領域３５はペン先２に向かって円錐状に先細になっており、その前端で管状体３０を囲んでいる管状体部分３６と一体化している。管状体３０と管状体部分３６の間には通気路３７が配置され、この通気路は先端部分４の内室ないし先端部分４と管状体３０との間にある中空室３８を大気に連通させている。
【００１３】
またフランジ２３には、ペン先２に向かって段を成して半径方向に延びている複数個の通気開口部３９が存在する。これらの半径方向に広がる開口部領域にはいずれも半透膜４０が嵌め込まれている。膜４０の、フランジ２３ないし通気開口部３９の拡張領域への取り付けはたとえば接着により行われる。
【００１４】
図１に示した筆記用具のペン先２が上向きになるように保持される場合は、通気開口部３９の前にエアクッションが形成される。このエアクッションが加温により膨張すると空気は通気孔３９および半透膜４０を介して中空室３８内へ到達し、このような塗布器具に通常用いられる保護キャップ４２を外せば、そこから通気路３７を介して大気へ到達する。
【００１５】
図３による実施例では液体容器５aはペンシャフト１aに嵌め込まれた別個のスリーブで作られている。ペン先２とは反対側のスリーブの後端はその端面４３と間隔を置いて配置されかつ中央に通気開口部１２aを備えた端面壁４５を有する。端面壁４５は環状突起体として半径方向に内向きに突出しており、この端面壁に半透膜１３aの辺縁領域が埋め込まれている。端面壁４５ないし膜１３aとペンシャフト１aの底面４６との間には軸方向に間隔従って中空室４７が存在する。この中空室４７は容器５aの端面４３に設けられた少なくともひとつの溝４８を介して通気路４９と連通しており、この通気路４９は容器５aの外側面５０とペンシャフトの内側面１０aとの間に存在し、かつ、軸方向ないし塗布器具の中心長手軸５１の方向へ延びている。通気路４９は容器５aの全周に亘って延ばすこともできる。しかしまた外側面５０に中心長手軸５１の方向へ延びる複数個の溝（図示していない）を設置することも考えられる。
【００１６】
容器５aの前方の端面壁は液体案内装置３の一部であるフランジ２３aによって形成されている。フランジ２３aは容器５ａの前方の端面にある収容溝５３に嵌め込まれており、そこでたとえば接着もしくは超音波溶接されている。フランジ２３aの前端から管状体３０aが突出しており、この管状体はフランジ２３aにおける開口部３４aを介して容器５aと流体的に連通している。この管状体３０aはその前端でペン先２を保持しており、内部には同様に毛管材料３３が詰められている。
【００１７】
先端部分４aはそのペンシャフト側の端面で容器５aの端面に突き合わせ接続されている。通気路４９と中空室３８との間の流体接続は、ペン先２とは反対側の先端部分４aの端面における溝５４を介して行われる(図４および図６も参照)。フランジ２３aは合計３個のほぼ円弧状の通気開口部３９aで貫通されている。通気開口部３９aにはそれぞれ膜４０aが嵌め込まれ、膜４０aはその辺縁領域でフランジ２３aのプラスチック材料に埋め込まれ、すなわちフランジのプラスチック材料を吹き付けられている。特に図５から見てとれるように、通気路４９は容器５aを完全に取り囲んでいる。いずれの通気開口部３９aにも溝５４が付設されている(図４参照)。
【００１８】
図８に示した実施例では、容器５bは交換可能なカートリッジとして形成されている。容器５bの後端も図３による実施例における後端と同様の形態をとっているが、半透膜１３bは端面壁４５の外側面に取り付けられている。容器５bの先端側の端面壁はフランジ５７によって形成されている。フランジ５７は第１の長手部分５７aおよび半径方向に広がっている第２の長手部分５７bを有する。部分５７aは容器の内側面６０に当接している。第2の長手部分は第１の長手部分５７aを越えて半径方向に突出している部分５７bで容器５bの端面５９にある切欠５８に入り込んでいる。フランジ５７には直径線上に対向する２個の通気開口部３９bが設けられ、この開口部はペン先２に向かって半径方向に拡張された領域６３へと移行している。この領域６３は通気開口部３９と同様に横断面が円形であり、フランジ５７の辺縁６４に達するまで延びている(特に図９参照)。通気開口部３９aの半径方向拡張領域６３にはそれぞれ半透膜４０bが嵌め込まれている。
【００１９】
フランジ５７には中央開口部６６が存在し、この開口部は、フランジから先端側へと突出している管状体部分６７の内室へ続いている。管状体３０ｂは管状体部分６７に嵌め込まれ、この部分の周囲から外側へ向かって半径方向に突出しているフランジ６９で管状体に支持されている。先端部分４bは、内側から半径方向に拡張された長手部分７０でフランジ６９の上に挿入され、そこに固定されている。容器５bとペンシャフト１bとの間には図３による実施例と同様に形成された通気路４９が存在する。容器５bおよび先端部分４bの相互に向き合っている端面の間には半径方向間隔７２が存在し、これにより通気路４９と２個のフランジ６９，５７の間に存在する室７３との間の連通が作られている。室７３はフランジ６９における孔７４を介して、先端部分４bにより囲まれている中空室３８と連通しており、この中空室も通気路３７を介して大気と連通している。
【００２０】
図１１および図１２に半透膜の形態ないしその端面壁への取り付けのための更に別の方法を示した。図１１によれば、膜１３cは箔であり、端面壁４５の外側面にたとえば接着で固定されている。図１２による実施例では、たとえばやはり箔などで形成された膜１３dがその辺縁部で支持リング７５に固定され、この支持リングは端面壁（４５）の外側面に固定されている。図１１および図１２に示した膜１３c、１３dの形態および取り付け方法は当然のことながら、塗布器具の全通気開口部に外側からでも内側からでも適用可能である。
【００２１】
図１３による実施例では別体の容器５cがペンシャフト１c内に通気路４９を開放しながら配置されている塗布器具である。容器５cの後端は端面壁７６により閉鎖されている。前方の端面壁は、管状体３０cの後端のフランジ７７によって形成されている。容器５cの周囲壁には前方領域に少なくとも１個の通気開口部３９cが、また後方領域に少なくとも１個の通気開口部１２cが配置されている。これらの通気開口部３９ｃ,１２cは長孔の形に形成され、中央長手軸５１の方向へ延びている。通気開口部３９c,１２cは半透膜４０c、１３eによって閉鎖され、通気路４９と連通している。先端部分４cおよび容器５cの相互に向き合う端面は突き合わせ接続されている。中空室３８と通気路４９の間の流体接続を形成するために、容器５cに向き合う先端部分４cの端面に溝８３が設けられている。フランジ７７の第１の長手部分８４は容器５cに嵌め込まれている。外側へ半径方向に拡張された第２の長手部分８５は容器５cの前方の端面８７にある収容溝８６に挿入されている。
【００２２】
図１５に示した実施例では容器５dの前方領域および後方領域にはいずれも複数個の通気開口部３９d、１２dが存在し、これらの通気開口部は同様に長孔の形に形成されているが、円周方向へ延びて、半透膜４０d,１３fによって閉鎖されている。図１５の塗布器具のその他の構成は図１３のそれに相当する。更に図１６による塗布器具では唯１個の通気開口部８８が存在し、この通気開口部は容器の前方領域から後方領域まで延びており、やはり長孔になっている。この通気開口部８８は中央長手軸５１に対し斜めに延びるかないしは螺旋形に走行しており、半透膜８９によって閉鎖されている。この膜の材料は上述した形態の場合と同様に、薄箔、織物、燒結材料もしくはこれらの材料の組み合わせである。
【００２３】
図１７による実施例は図１３の実施例とほぼ同様であるが、容器５eの前方領域における通気が通気開口部ないし半透膜を介してではなく、液体案内装置３dを介して行われる。このためこの装置は特殊な形態をとっている。管状体３０dは内向きに半径方向に拡張されたその前方領域にペン先２を保持している。このペン先はその後方の端面９０で内向きに突出している肩部９１に支持されている。肩部９１から後方に延びている管状体３０dの領域には筒状の詰め物９２が挿入され、その円周面は管状体３０dの内側面に対して相補的に形成されている。ただし、詰め物９２の円周面には平坦面９３が存在し、この平坦面は軸方向へかつ詰め物の全長に亘って延びている。これらの平坦面は管状体３０dの内側面と共に液体路９４を作っている。この液体路９４を介して液体が容器５eからペン先２まで到達する。この場合ペン先は毛管材料から成り、ほとんどそれ自体で液体を吸収する。液体案内装置として用いられている従来の材料、たとえば線維物質もしくは燒結材料などと異なり、液体路９４が液体に及ぼす毛管作用ははるかに少ない。ペン先を下向きに保持した場合に液体をペン先方向へ促進するような毛管圧は従って少なく、このような塗布器具の態勢での液体の漏出が阻止される。平坦面９３は中央長手軸５１に平行に延ばすことが可能である。しかしまた平坦面がペンシャフト１eに向かってわずかに分散する、すなわち液体路９４の断面積が容器５eに向かって減少するようにすることも考えられる。これにより液体に及ぼすその毛管作用が増大する。このような形態をとることにより、容器方向への毛管作用が発生し、その結果ペン先２への液体の流れがさらにしぼられる。ペン先を上向きに保持することにより排気する場合、液体路９４はさしあたりまだ液体で満されている。しかし、容器内に圧力が生じると直ちに少なくともひとつの液体路から液体が排出され、その結果、そこが通気路として利用される。これらの通気路と大気との間の接続を作り出すためにペン先の外周面と管状体３０dの間に通気路(図示していない)を備えることが可能である。ただしこのような通気はペン先の毛管を空にすることによっても行うこともできる。
【００２４】
詰め物９３は必ずしも管状体３０dの後端まで延びている必要はない。詰め物９３は５〜３０ｍｍの長さとするのがよい。その直径は２〜５ｍｍの数値の間で変動している。液体路９４の高さ９５は０．０２〜０．１０ｍｍとする。平坦面９３の幅９６は詰め物９２のそのときの直径から生ずる。
【図面の簡単な説明】
【図１】  塗布器具の第１の実施形態の縦断面図。
【図２】  図１の部分ＩＩの拡大図。
【図３】  塗布器具の別の実施形態の縦断面図。
【図４】  図３における線ＩＶ−ＩＶに相応する横断面図。
【図５】  図３における線Ｖ−Ｖに相応する横断面図。
【図６】  図３の部分ＶＩの詳細図。
【図７】  図３の部分ＶＩＩの詳細図。
【図８】  塗布器具の別の実施形態の縦断面図。
【図９】  図８における線ＩＸ−ＩＸに相応する横断面図。
【図１０】  図８の部分Ｘの詳細図。
【図１１】  別種の膜が取り付けられている図３による塗布器具のペンシャフト側端部の拡大図。
【図１２】  別種の膜が取り付けられている図３による塗布器具のペンシャフト側端部の拡大図。
【図１３】  塗布器具の別の実施形態の縦断面図。この場合通気開口部は液体容器の周囲壁に配置されている。
【図１４】  図１３の部分ＸＩＶの詳細図。
【図１５】  図１３に相応する実施形態の縦断面図。ただし通気開口部は別の形態を示す。
【図１６】  図１３に相応する実施例形態の縦断面図。液体容器の端面側からペンシャフト側の端面まで唯一の通気開口部が延びている。
【図１７】  更に別の実施形態の縦断面図。
【図１８】  図１７における線ＸＩＩＩ−ＸＩＩＩに相応する部分横断面図。
【図１９】  図１８の部分ＸＩＸの詳細図。
【符号の説明】
１    ペンシャフト
２    ペン先
３    液体案内装置
４    先端部分
５    容器
６    後端
７    領域
８    栓
９    端面
１０  ペンシャフトの内側面
１１  端面壁
１２  通気開口部
１３  膜
１４  底面
１５  中空室
１６  通気路
１７  端面
１８  半径方向肩部
１９  溝
２０  溝
２１  矢印
２３  フランジ
２４  管状体部分
２５  外側面
２６  ペンシャフトの外側面
２７  辺縁面
２８  管状体部分
２９  外側面
３０  管状体
３３  毛管材料
３４  開口部
３５  領域
３６  管状体部分
３７  通気路
３８  中空室
３９  通気開口部
４０  膜
４２  保護キャップ
４３  端面壁
４５  端面壁
４６  底面
４７  中空室
４８  溝
４９  通気路
５０  外側面
５１  中央縦軸
５３  収容溝
５４  溝
５７  フランジ
５８  切欠
５９  端面側
６０  容器内側面
６３  領域
６４  辺縁部
６６  開口部
６７  管状体部分
６８  端部部分
６９  フランジ
７０  長手部分
７２  軸方向間隔
７３  室
７４  孔
７５  支持リング
７６  端面壁
７７  フランジ
８３  溝
８４  長手部分
８５  長手部分
８６  収容溝
８７  端面壁
８８  通気開口部
８９  膜
９０  端面壁
９１  半径方向肩部
９２  詰め物
９３  平坦面
９４  液体路
９５  高さ
９６  幅
【図１】
0004495352.tif 000002
【図２】
0004495352.tif 000003
【図３】
0004495352.tif 000004
【図４】
0004495352.tif 000005
【図５】
0004495352.tif 000006
【図６】
0004495352.tif 000007
【図７】
0004495352.tif 000008
【図８】
0004495352.tif 000009
【図９】
0004495352.tif 000010
【図１０】
0004495352.tif 000011
【図１１】
0004495352.tif 000012
【図１２】
0004495352.tif 000013
【図１３】
0004495352.tif 000014
【図１４】
0004495352.tif 000015
【図１５】
0004495352.tif 000016
【図１６】
0004495352.tif 000017
【図１７】
0004495352.tif 000018
【図１８】
0004495352.tif 000019
【図１９】
0004495352.tif 000020